(57)【要約】【課題】番組の放送中であっても当該番組に関する関連情報を用いて検索されたウェブページをユーザがストレスなく閲覧することができる情報処理装置、情報処理方法およびプログラムを提供する。【解決手段】実施形態の情報処理装置は、取得部と、ダウンロード部と、表示制御部と、を備える。取得部は、放送前の番組に関する関連情報を取得する。ダウンロード部は、取得した関連情報を用いて検索されたウェブページを番組の放送前にダウンロードするとともに、ダウンロードしたウェブページを記憶部に記憶させる。表示制御部は、入力部から入力された入力情報を用いて検索されたウェブページが記憶部に記憶されているウェブページと一致した場合、記憶部に記憶されているウェブページを表示部に表示させる。【選択図】図２
2015012385.tif 000002
【特許請求の範囲】
【請求項１】
放送前の番組に関する関連情報を取得する取得部と、
取得した前記関連情報を用いて検索されたウェブページを前記番組の放送前にダウンロードするとともに、ダウンロードしたウェブページを記憶部に記憶させるダウンロード部と、
入力部から入力された入力情報を用いて検索されたウェブページが前記記憶部に記憶されているウェブページと一致した場合、前記記憶部に記憶されているウェブページを表示部に表示させる表示制御部と、
を備えた情報処理装置。
【請求項２】
前記取得部は、前記番組の種別と、前記番組に関連する過去番組の視聴率または前記番組が放送される時間帯と同一時間帯の視聴率とに基づいて、前記関連情報を取得する前記番組を選択する請求項１に記載の情報処理装置。
【請求項３】
前記取得部は、前記番組の種別と、前記過去番組の視聴率または前記番組が放送される時間帯と同一時間帯の視聴率とに基づいて、前記番組毎に、当該番組の前記関連情報を用いてウェブページの検索を行う検索予想人数を算出し、前記検索予想人数に基づいて、前記関連情報を取得する前記番組を選択する請求項２に記載の情報処理装置。
【請求項４】
前記ダウンロード部は、前記関連情報を用いて検索されたウェブページの検索結果を表示するリストにおける表示優先順位に基づいて、ウェブページをダウンロードする請求項１から３のいずれか一に記載の情報処理装置。
【請求項５】
前記ダウンロード部は、前記関連情報を用いて検索されたウェブページのうち、処理能力が低いサイトのウェブページをダウンロードする請求項１から３のいずれか一に記載の情報処理装置。
【請求項６】
前記ダウンロード部は、前記関連情報を用いて検索されたウェブページを、前記番組の放送前に、複数回ダウンロードする請求項１から５のいずれか一に記載の情報処理装置。
【請求項７】
前記ダウンロード部は、前記関連情報を用いて検索されたウェブページが前記番組の放送前に更新された場合に、当該ウェブページを、前記番組の放送前に複数回ダウンロードする請求項６に記載の情報処理装置。
【請求項８】
情報処理装置で実行される情報処理方法であって、
取得部が、放送前の番組に関する関連情報を取得する過程と、
ダウンロード部が、取得した前記関連情報を用いて検索されたウェブページを前記番組の放送前にダウンロードするとともに、ダウンロードしたウェブページを記憶部に記憶させる過程と、
表示制御部が、入力部から入力された入力情報を用いて検索されたウェブページが前記記憶部に記憶されているウェブページと一致した場合、前記記憶部に記憶されているウェブページを表示部に表示させる過程と、
を含む情報処理方法。
【請求項９】
コンピュータを、
放送前の番組に関する関連情報を取得する取得部と、
取得した前記関連情報を用いて検索されたウェブページを前記番組の放送前にダウンロードするとともに、ダウンロードしたウェブページを記憶部に記憶させるダウンロード部と、
入力部から入力された入力情報を用いて検索されたウェブページが前記記憶部に記憶されているウェブページと一致した場合、前記記憶部に記憶されているウェブページを表示部に表示させる表示制御部と、
として機能させるためのプログラム。
【発明の詳細な説明】
【技術分野】
【０００１】
本発明の実施形態は、情報処理装置、情報処理方法およびプログラムに関する。
【背景技術】
【０００２】
ＲＳＳリーダにより受信した更新情報に基づいて、更新されたウェブページのデータをユーザの操作を必要とせずに自動的にダウンロードする技術が開示されている。
【先行技術文献】
【特許文献】
【０００３】
【特許文献１】特開２０１２−１１３６５８号公報
【発明の概要】
【発明が解決しようとする課題】
【０００４】
ところで、番組の放送中に気になるトピックが紹介された場合に、当該トピックを用いて検索されるウェブページにアクセスする技術がある。しかしながら、放送中の番組の視聴者が一斉に同じウェブページにアクセスしようとした場合、当該ウェブページに対するアクセスが集中して当該ウェブページを閲覧することができないことがある。番組の放送直前や当該番組が放送した一日後には、ウェブページに対するアクセスが少ないため、直ぐにウェブページを閲覧することができるが、番組の放送中にウェブページを閲覧したいと思った時に当該ウェブページを閲覧できないのはユーザにとってストレスが溜まる可能性がある。
【０００５】
本発明は、上記に鑑みてなされたものであって、番組の放送中であっても当該番組に関する関連情報を用いて検索されたウェブページをユーザがストレスなく閲覧することができる情報処理装置、情報処理方法およびプログラムを提供することを目的とする。
【課題を解決するための手段】
【０００６】
実施形態の情報処理装置は、取得部と、ダウンロード部と、表示制御部と、を備える。取得部は、放送前の番組に関する関連情報を取得する。ダウンロード部は、取得した関連情報を用いて検索されたウェブページを番組の放送前にダウンロードするとともに、ダウンロードしたウェブページを記憶部に記憶させる。表示制御部は、入力部から入力された入力情報を用いて検索されたウェブページが記憶部に記憶されているウェブページと一致した場合、記憶部に記憶されているウェブページを表示部に表示させる。
【図面の簡単な説明】
【０００７】
【図１】図１は、本実施形態にかかる情報処理装置の構成の一例を示すブロック図である。
【図２】図２は、本実施形態にかかる情報処理装置の機能構成を示すブロック図である。
【図３】図３は、本実施形態にかかる情報処理装置におけるウェブページのダウンロード処理の流れを示すフローチャートである。
【図４】図４は、番組の種別毎に記憶された検索係数の一例を示す図である。
【図５】図５は、本実施形態にかかる情報処理装置におけるウェブページの表示処理の流れを示すフローチャートである。
【図６】図６は、情報番組の放送前および放送中におけるウェブページへのアクセス数の変化を示す図である。
【発明を実施するための形態】
【０００８】
以下、添付図面を参照して、本実施形態にかかる情報処理装置、情報処理方法およびプログラムについて説明する。
【０００９】
図１は、本実施形態にかかる情報処理装置の構成の一例を示すブロック図である。図１に示すように、情報処理装置１０は、スマートフォン，ＰＣ（Personal  Computer），タブレット端末，携帯電話など、インターネット等のネットワークを介してウェブページをダウンロードして当該ウェブページを表示可能な装置である。本実施形態では、情報処理装置１０は、ＣＰＵ（Central  Processing  Unit）１１と、ＲＯＭ（Read  Only  Memory）１２と、ＲＡＭ（Random  Access  Memory）１３と、表示部１４と、入力部１５と、記憶制御部１６と、通信部１７と、記憶装置２１と、を備えている。
【００１０】
ＣＰＵ１１は、ＲＡＭ１３を作業領域として、ＲＯＭ１２等に記憶された各種制御プログラムとの協働により各種処理を実行し、情報処理装置１０を構成する各部の動作を統括的に制御する。
【００１１】
ＲＯＭ１２は、情報処理装置１０の制御にかかるプログラムや各種設定情報等を書き換え不可能に記憶する。ＲＡＭ１３は、揮発性の記憶媒体であって、ＣＰＵ１１の作業エリアとして機能する。
【００１２】
表示部１４は、ＬＣＤ（Liquid  Crystal  Display）等の表示ユニットを有し、ＣＰＵ１１の制御に従い、処理経過や結果等を表示する。
【００１３】
入力部１５は、キーボードやマウス等の入力デバイスを有し、この入力デバイスを介して入力されたユーザからの命令や情報をＣＰＵ１１に通知する。
【００１４】
記憶制御部１６は、記憶装置２１の動作を制御し、ＣＰＵ１１から入力されるデータの書き込みや、データの読み出し等の要求に応じた処理を記憶装置２１に実行する。ここで、記憶装置２１は、磁気ディスク、半導体メモリ、光学ディスク等の記録媒体を有した記憶装置である。
【００１５】
通信部１７は、有線または無線の通信インタフェースであって、図示しない外部装置との間で通信を確立し、データの送受信を実行する。
【００１６】
図２は、本実施形態にかかる情報処理装置の機能構成を示すブロック図である。情報処理装置１０は、ＣＰＵ１１が、ＲＯＭ１２に記憶されたプログラムを実行することにより、図２に示すように、放送前の番組に関する番組関連情報（関連情報）を取得する取得部２０１と、番組関連情報を用いて検索されたウェブページをダウンロードするとともに、当該ダウンロードしたウェブページを記憶装置２１に記憶させるダウンロード部２０２と、入力部１５から入力された入力情報を用いて検索されたウェブページが記憶装置２１に記憶されているウェブページと一致した場合、記憶装置２１に記憶されているウェブページを表示部１４に表示させる表示制御部２０３と、を実現する。
【００１７】
次に、図２〜４を用いて、本実施形態にかかる情報処理装置１０におけるウェブページのダウンロード処理について説明する。図３は、本実施形態にかかる情報処理装置におけるウェブページのダウンロード処理の流れを示すフローチャートである。図４は、番組の種別毎に記憶された検索係数の一例を示す図である。
【００１８】
取得部２０１は、放送前の番組（以下、放送前番組と言う）の番組情報（例えば、番組名、番組の放送日時、番組の種別、番組の放送内容など）を取得する（ステップＳ３０１）。本実施形態では、取得部２０１は、ネットワーク上のサーバから、放送前の番組のサービス情報（ＳＩ：Service  Information）を取得し、取得したサービス情報に含まれるＥＰＧ（Electronic  Program  Guide）情報を番組情報として取得する。さらに、取得部２０１は、放送前番組に関連する過去番組（例えば、放送前番組の番組名と同じ番組名の放送済みの番組、放送前番組の種別と同じ種別の放送済みの番組など）の視聴率または放送前番組が放送される時間帯と同一時間帯の視聴率を示す視聴率情報を取得する（ステップＳ３０２）。
【００１９】
本実施形態では、取得部２０１は、放送前番組と関連する過去番組がある場合（例えば、放送前番組が連続ドラマである場合など）、当該過去番組の視聴率を示す視聴率情報を取得する。一方、取得部２０１は、放送前番組と関連する過去番組が無い場合（例えば、放送前番組が特別番組である場合など）、放送前番組が放送される時間帯と同一時間帯の視聴率（例えば、放送前番組が放送される時間帯と同一時間帯の平均視聴率、放送前番組が放送される時間帯と同一時間帯の前の週の視聴率など）を示す視聴率情報を取得する。
【００２０】
次いで、取得部２０１は、放送前番組の種別と視聴率情報が示す視聴率とに基づいて、放送前番組のうち、番組に関する番組関連情報を取得する番組を選択する（ステップＳ３０３）。本実施形態では、取得部２０１は、放送前番組の種別と視聴率情報が示す視聴率とに基づいて、放送前番組毎に、当該放送前番組の番組関連情報を用いてウェブページの検索を行う検索予想人数を算出する。
【００２１】
具体的には、ＲＯＭ１２は、番組の種別毎に、検索予想人数の算出に用いる検索係数を記憶している。例えば、ＲＯＭ１２は、図４に示すように、番組の種別「情報番組」，「ニュース」，「スポーツ」，「映画、ドラマ」，「アニメ」，「その他」それぞれについて、検索予想人数の算出に用いる検索係数ｘを記憶している。取得部２０１は、まず、下記の式（１）を用いて、検索予想人数ｚを算出する。ここで、ｙは、取得した視聴率情報が示す視聴率である。ａは、定数である。
ｚ＝ａ×ｘ×ｙ      ・・・（１）
【００２２】
そして、取得部２０１は、放送前番組それぞれについて算出した検索予想人数に基づいて、番組関連情報を取得する放送前番組を選択する。例えば、取得部２０１は、放送前番組のうち、算出した検索予想人数が多い番組から順に所定数の番組を、番組関連情報を取得する放送前番組として選択する。
【００２３】
本実施形態では、取得部２０１は、算出した検索予想人数に基づいて、番組関連情報を取得する放送前番組を選択しているが、放送前番組の種別と視聴率情報が示す視聴率とに基づいて、番組関連情報を取得する番組を選択するものであれば、これに限定するものではない。例えば、取得部２０１は、放送前番組のうち、所定の番組の種別（例えば、情報番組など）でかつ視聴率情報が示す視聴率が所定の視聴率（例えば、５％）以上の番組を、番組関連情報を取得する番組として選択しても良い。
【００２４】
次に、取得部２０１は、選択した放送前番組に関する番組関連情報（例えば、番組の放送内容に含まれる出演者などのキーワード）を取得する（ステップＳ３０４）。本実施形態では、取得部２０１は、取得した番組情報に放送内容が含まれている場合には、取得した番組情報のうち当該選択した放送前番組の番組情報（放送内容）に含まれるキーワードを、番組関連情報として取得する。本実施形態では、取得部２０１は、取得した番組情報に含まれる放送内容からキーワード（番組関連情報）を取得しているが、これに限定するものではなく、例えばネットワーク等で接続された外部機器から番組関連情報を取得しても良い。
【００２５】
また、本実施形態では、取得部２０１は、選択した放送前番組の番組関連情報を取得しているが、これに限定するものではない。例えば、取得部２０１は、全ての放送前番組の番組関連情報を取得しても良い。また、取得部２０１は、現在から所定期間後（例えば、現在から１週間後）までに放送される放送前番組の番組関連情報を取得しても良い。
【００２６】
ダウンロード部２０２は、取得部２０１により取得された番組関連情報を用いて、ネットワーク上に存在するウェブページを検索する（ステップＳ３０５）。そして、ダウンロード部２０２は、検索したウェブページを放送前番組の放送前にダウンロードするとともに、ダウンロードしたウェブページを記憶装置２１に記憶させる（ステップＳ３０６）。本実施形態では、ダウンロード部２０２は、当該ダウンロード部２０２自身の検索機能によって検索されたウェブページをダウンロードしているが、ネットワークを介して接続された外部機器に対して、取得した番組関連情報を用いたウェブページの検索を要求し、当該外部機器の検索機能により検索されたウェブページをダウンロードしても良い。
【００２７】
また、本実施形態では、ダウンロード部２０２は、番組関連情報を用いて検索されたウェブページの検索結果を表示するリストにおける表示優先順位に基づいて、ウェブページをダウンロードする。例えば、ダウンロード部２０２は、当該リストの上位１０位までのウェブページをダウンロードする。これにより、番組の放送中に検索される可能性が高いウェブページのみをダウンロードすることができる。
【００２８】
または、ダウンロード部２０２は、番組関連情報を用いて検索されたウェブページのうち、処理能力が低いサーバに記憶されているウェブページをダウンロードしても良い。具体的には、情報処理装置１０は、ウェブページに対するアクセスが集中しても当該ウェブページのダウンロードを処理可能な所定のサーバを予め記憶しておき、番組関連情報を用いて検索されたウェブページが所定のサーバ以外のサーバに記憶されている場合には、当該番組関連情報を用いて検索されたウェブページを記憶するサーバが、処理能力が低いサーバと判別して、放送前にウェブページのダウンロードを行う。これにより、番組の放送中に、当該処理能力が低いサーバに記憶されているウェブページへのアクセスが集中した場合でも、当該処理能力が低いサーバに記憶されているウェブページも表示することが可能となる。
【００２９】
また、本実施形態では、ダウンロード部２０２は、番組関連情報を用いて検索されたウェブページを、当該番組関連情報に対応する番組の放送前に、複数回ダウンロードして、最後にダウンロードしたウェブページによって、記憶装置２１に既に記憶されているウェブページを更新する。その際、ダウンロード部２０２は、番組の放送前に、所定時間毎に、ウェブページのダウンロードを行って良いし、若しくはダウンロード対象のウェブページの更新日時（タイムスタンプ）が、記憶装置２１に既に記憶されているウェブページに付加された更新日時（タイムスタンプ）よりも後の日時である場合に、当該ダウンロード対象のウェブページのダウンロードを行っても良い。すなわち、ダウンロード部２０２は、番組関連情報を用いて検索されたウェブページが、放送前番組の放送前に更新された場合に、当該ウェブページを、放送前番組の放送前に複数回ダウンロードする。
【００３０】
さらに、本実施形態では、ダウンロード部２０２は、情報処理装置１０自身が備える記憶装置２１にダウンロードしたウェブページを記憶させているが、これに限定するものではなく、外部の記憶装置に、ダウンロードしたウェブページを記憶させておいても良い。
【００３１】
次に、図２、図５および図６を用いて、ウェブページを表示する処理について説明する。図５は、本実施形態にかかる情報処理装置におけるウェブページの表示処理の流れを示すフローチャートである。図６は、情報番組の放送前および放送中におけるウェブページへのアクセス数の変化を示す図である。
【００３２】
ダウンロード部２０２は、入力部１５からウェブページの検索に用いる入力情報が入力されると（ステップＳ５０１：Ｙｅｓ）、当該入力情報を用いてネットワーク上に存在するウェブページを検索する（ステップＳ５０２）。本実施形態では、ダウンロード部２０２は、当該ダウンロード部２０２自身の検索機能によってウェブページの検索を行っているが、ネットワークを介して接続された外部機器に対して、入力された入力情報を用いたウェブページの検索を要求し、当該外部機器の検索機能によるウェブページの検索結果を取得しても良い。
【００３３】
表示制御部２０３は、入力情報を用いて検索されたウェブページの検索結果を表示部１４に表示させる（ステップＳ５０３）。次いで、表示制御部２０３は、表示部１４に表示したウェブページの検索結果のうち、入力部１５を介してダウンロードが指示されたウェブページが、記憶装置２１に記憶されたウェブページと一致するか否かを判断する（ステップＳ５０４）。
【００３４】
そして、表示制御部２０３は、入力部１５を介してダウンロードが指示されたウェブページが記憶装置２１に記憶されたウェブページと一致した場合（ステップＳ５０４：Ｙｅｓ）、記憶装置２１に記憶されたウェブページのうち、入力部１５を介してダウンロードが指示されたウェブページと一致するウェブページを表示部１４に表示させる（ステップＳ５０５）。これにより、番組の放送中に流れたキーワードを利用して検索されたウェブページへのアクセスが集中した場合であっても、記憶装置２１に記憶されたウェブページを利用して、当該ウェブページを表示部１４に表示させることができるので、情報処理装置１０のユーザがストレスを感じることなくウェブページを閲覧することができる。
【００３５】
例えば、図６に示すように、情報番組の放送開始に伴い、当該情報番組の放送中に流れるキーワードを利用して検索されるウェブページへのアクセス数が上昇したとしても、表示制御部２０３は、当該ウェブページへのアクセス数が少ない当該情報番組の放送前にダウンロードされ記憶装置２１に記憶されたウェブページを用いて、ウェブページを表示部１４に表示させることができる。よって、情報処理装置１０のユーザは、当該情報番組の放送中においてもストレスを感じることなくウェブページを閲覧することができる。
【００３６】
一方、ダウンロード部２０２は、入力部１５を介してダウンロードが指示されたウェブページと一致するウェブページが記憶装置２１に記憶されていない場合（ステップＳ５０４：Ｎｏ）、当該ダウンロードが指示されたウェブページをダウンロードする（ステップＳ５０６）。そして、表示制御部２０３が、ダウンロードされたウェブページを表示部１４に表示させる（ステップＳ５０７）。
【００３７】
このように、本実施形態にかかる情報処理装置１０によれば、番組の放送中に流れたキーワードを利用して検索されたウェブページへのアクセスが集中した場合であっても、記憶装置２１に記憶されたウェブページを利用して、当該ウェブページを表示部１４に表示させることができるので、情報処理装置１０のユーザがストレスを感じることなくウェブページを閲覧することができる。
【００３８】
本実施形態の情報処理装置１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されても良い。
【００３９】
また、本実施形態の情報処理装置１０で実行されるプログラムを、インターネット等のネットワークに接続されたコンピュータ上に格納し、ネットワーク経由でダウンロードさせることにより提供するように構成しても良い。また、本実施形態の情報処理装置１０で実行されるプログラムをインターネット等のネットワーク経由で提供または配布するように構成しても良い。
【００４０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４１】
１０  情報処理装置
１１  ＣＰＵ
１２  ＲＯＭ
１３  ＲＡＭ
１４  表示部
１５  入力部
１６  記憶制御部
２１  記憶装置
２０１  取得部
２０２  ダウンロード部
２０３  表示制御部
【図１】
2015012385.tif 000003
【図２】
2015012385.tif 000004
【図３】
2015012385.tif 000005
【図４】
2015012385.tif 000006
【図５】
2015012385.tif 000007
【図６】
2015012385.tif 000008